【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
同一の被写体を含み且つ背景の異なる第１画像および第２画像を取得する取得手段と、
当該取得した第１画像および第２画像の中から、前記被写体の顔部分を検出する検出手段と、
前記第１画像の顔部分と前記第２画像の顔部分との相対変位を測定する変位測定手段と、
前記相対変位に基づき、前記第１画像を構成する画素と前記第２画像を構成する画素とを対応付ける対応付け手段と、
前記対応付けられた画素同士を比較し、当該画素の画素値の差分が第１の所定値以上である場合には、当該画素を背景部分とし、当該画素の画素値の差分が第１の所定値未満である場合には、当該画素を非背景部分とする判別手段と、
を備えることを特徴とする画像処理装置。
【請求項２】
請求項１に記載の画像処理装置において、
前記第１画像または前記第２画像のうち一方を選択する選択手段と、
前記選択手段により選択された画像について前記判別手段により背景部分であると判別された画素の画素値を同じ値に設定する設定手段とをさらに備えることを特徴とする画像処理装置。
【請求項３】
請求項２に記載の画像処理装置において、
前記検出された顔部分の中心を決定し、当該顔部分の中心からの距離が第３の所定値以上である画素を、背景部分とし、当該顔部分の中心からの距離が第４の所定値以下である画素を、非背景部分とする第２判別手段をさらに備え、
当該第２判別手段の判別対象を除いた領域について、前記判別手段を実行することを特徴とする画像処理装置。
【請求項４】
請求項３に記載の画像処理装置において、
前記第２判別手段は、前記顔部分の向きに基づいて、前記被写体の首の方向を推定し、当該推定した部分については判別対象から除外することを特徴とする画像処理装置。
【請求項５】
請求項１から４のいずれかに記載の画像処理装置において、
前記第１画像の顔部分の特徴量と前記第２画像の顔部分の特徴量とが大きく異なる場合に、警告を出力する警告手段をさらに備えることを特徴とする画像処理装置。
【請求項６】
請求項５に記載の画像処理装置において、
前記警告手段は、前記第１画像の顔部分の特徴量と前記第２画像の顔部分の特徴量とが大きく異なる場合には、前記第２画像の顔部分の特徴量に基づいて、前記第２画像の顔部分の特徴量を前記第１画像の顔部分の特徴量に近似させるための前記第２画像の顔部分の位置、大きさ、および向きのうち少なくとも１つを報知することを特徴とする画像処理装置。
【請求項７】
請求項１から６のいずれかに記載の画像処理装置において、
前記取得手段は、前記第１画像の顔部分の特徴量と前記第２画像の顔部分の特徴量とが近似しない場合、新たに画像を取得し、当該新たな画像を前記第２画像とすることを特徴とする画像処理装置。
【請求項８】
請求項１から７のいずれかに記載の画像処理装置において、
前記取得手段は、第１画像群として被写体を含み同様な背景の複数の画像と第２画像群として被写体を含み第１画像群と異なる背景の複数の画像とを取得し、
前記取得した各画像群の中から１つずつ選択し、組合せを複数生成し、当該複数の組合せのそれぞれについて、前記顔部分の相関性が最も高い組合せを、前記第１画像および前記第２画像として決定する決定手段をさらに備えることを特徴とする画像処理装置。
【請求項９】
請求項１から８のいずれかに記載の画像処理装置において、
前記被写体の顔部分に対する合焦度を測定する測定手段をさらに備え、
前記検出手段は、前記測定手段により測定された合焦度を、前記第１画像および第２画像の顔部分の特徴量として検出することを特徴とする画像処理装置。
【請求項１０】
請求項１から９のいずれかに記載の画像処理装置において、
前記検出した顔部分の特徴量に基づいて、前記取得した第１画像および第２画像の非背景部分を推定する推定手段をさらに備え、
前記位置合わせ手段は、前記顔部分を位置合わせすると共に、前記推定手段の推定結果に基づいて、前記第１画像の顔部分以外の非背景部分と、前記第２画像の顔部分以外の非背景部分と、を位置合わせして、当該２つの位置合わせ結果に基づいて、前記第１画像を構成する画素と前記第２画像を構成する画素とを対応付けることを特徴とする画像処理装置。
【請求項１１】
請求項１から１０のいずれかに記載の画像処理装置において、
ユーザにより前記第１画像の非背景部分または前記第２画像の非背景部分が選択されると、当該選択された画像の非背景部分を記憶する記憶手段をさらに備えることを特徴とする画像処理装置。
【請求項１２】
コンピュータを、
同一の被写体を含み且つ背景の異なる第１画像および第２画像を取得する取得手段、
当該取得した第１画像および第２画像の中から、前記被写体の顔部分を検出する検出手段、
前記第１画像の顔部分と前記第２画像の顔部分との相対変位を測定する変位測定手段、
前記相対変位に基づき、前記第１画像を構成する画素と前記第２画像を構成する画素とを対応付ける対応付け手段、
前記対応付けられた画素同士を比較し、当該画素の画素値の差分が第１の所定値以上である場合には、当該画素を背景部分とし、当該画素の画素値の差分が第１の所定値未満である場合には、当該画素を非背景部分とする判別手段、
として機能させるプログラム。
【手続補正２】
【補正対象書類名】明細書
【補正対象項目名】０００８
【補正方法】変更
【補正の内容】
【０００８】
請求項１に記載の発明に係る画像処理装置は、同一の被写体を含み且つ背景の異なる第１画像および第２画像を取得する取得手段と、当該取得した第１画像および第２画像の中から、前記被写体の顔部分を検出する検出手段と、前記第１画像の顔部分と前記第２画像の顔部分との相対変位を測定する変位測定手段と、前記相対変位に基づき、前記第１画像を構成する画素と前記第２画像を構成する画素とを対応付ける対応付け手段と、前記対応付けられた画素同士を比較し、当該画素の画素値の差分が第１の所定値以上である場合には、当該画素を背景部分とし、当該画素の画素値の差分が第１の所定値未満である場合には、当該画素を非背景部分とする判別手段と、を備えることを特徴とする。
【手続補正３】
【補正対象書類名】明細書
【補正対象項目名】０００９
【補正方法】変更
【補正の内容】
【０００９】
請求項２に記載の発明に係る画像処理装置は、前記第１画像または前記第２画像のうち一方を選択する選択手段と、前記選択手段により選択された画像について前記判別手段により背景部分であると判別された画素の画素値を同じ値に設定する設定手段とをさらに備えることを特徴とする。
【手続補正４】
【補正対象書類名】明細書
【補正対象項目名】００１５
【補正方法】変更
【補正の内容】
【００１５】
請求項８に記載の発明に係る画像処理装置は、前記取得手段は、第１画像群として被写体を含み同様な背景の複数の画像と第２画像群として被写体を含み第１画像群と異なる背景の複数の画像とを取得し、前記取得した各画像群の中から１つずつ選択し、組合せを複数生成し、当該複数の組合せのそれぞれについて、前記顔部分の相関性が最も高い組合せを、前記第１画像および前記第２画像として決定する決定手段をさらに備えることを特徴とする。
【手続補正５】
【補正対象書類名】明細書
【補正対象項目名】００１６
【補正方法】変更
【補正の内容】
【００１６】
請求項９に記載の発明に係る画像処理装置は、前記被写体の顔部分に対する合焦度を測定する測定手段をさらに備え、前記検出手段は、前記測定手段により測定された合焦度を、前記第１画像および第２画像の顔部分の特徴量として検出することを特徴とする。
【手続補正６】
【補正対象書類名】明細書
【補正対象項目名】００１９
【補正方法】変更
【補正の内容】
【００１９】
請求項１２に記載の発明に係るプログラムは、コンピュータを、同一の被写体を含み且つ背景の異なる第１画像および第２画像を取得する取得手段、当該取得した第１画像および第２画像の中から、前記被写体の顔部分を検出する検出手段、前記第１画像の顔部分と前記第２画像の顔部分との相対変位を測定する変位測定手段、前記相対変位に基づき、前記第１画像を構成する画素と前記第２画像を構成する画素とを対応付ける対応付け手段、前記対応付けられた画素同士を比較し、当該画素の画素値の差分が第１の所定値以上である場合には、当該画素を背景部分とし、当該画素の画素値の差分が第１の所定値未満である場合には、当該画素を非背景部分とする判別手段、として機能させる。